(57)【特許請求の範囲】
【請求項１】
所定のコンテンツを所定の主画面としてまたは所定の従画面として表示できる画像処理装置において、
前記主画面に主コンテンツを表示し、前記従画面に従コンテンツを表示する表示手段と、
前記従画面に表示させる前記従コンテンツの特徴量を検出する検出手段と、
前記検出手段により検出された前記従コンテンツの前記特徴量が所定の閾値を超えた場合、前記従コンテンツを前記主コンテンツに代えて前記主画面に表示させる制御手段と
を備え、
前記制御手段は、前記従コンテンツを前記主画面に表示させた場合、前記検出手段により検出された前記従コンテンツの前記特徴量の推移に応じて、前記主画面に表示されている前記従コンテンツの表示の大きさを段階的に変化させるとともに、前記従コンテンツの背面に前記主画面の大きさの前記主コンテンツを表示させる
画像処理装置。
【請求項２】
前記特徴量は、前記従コンテンツの音声の音量や所定の周波数の音声信号の大きさ、または前記従コンテンツの映像と所定の画像とのマッチング度である
請求項１に記載の画像処理装置。
【請求項３】
前記制御手段は、所定の条件を満たしたとき、前記従コンテンツに代えて前記主画面に再び前記主コンテンツを表示させる
請求項１に記載の画像処理装置。
【請求項４】
前記主コンテンツの再生が停止されている場合において、前記主コンテンツの終了時刻が決定されている場合、前記制御手段は、前記終了時刻までに再生が完了するように、前記主コンテンツを再生する再生手段
をさらに備える請求項３に記載の画像処理装置。
【請求項５】
前記制御手段は、前記閾値を超える特徴量が検出されたとき、前記従コンテンツの、前記閾値を超える特徴量が検出されたシーンから所定の時間遡ったシーンから前記主画面に表示させる
請求項１に記載の画像処理装置。
【請求項６】
前記制御手段は、前記主画面に表示された前記従コンテンツの特徴状態が終了するまで前記主画面の表示の切り替えを制限する
請求項１に記載の画像処理装置。
【請求項７】
前記制御手段は、前記従コンテンツの映像を反転させて前記主画面に表示させる
請求項１に記載の画像処理装置。
【請求項８】
前記制御手段は、複数の前記従コンテンツから、前記閾値を超える特徴量が同時に検出されたとき、前記複数の従コンテンツの全部または一部を前記主画面に表示させる
請求項１に記載の画像処理装置。
【請求項９】
前記従画面に表示される前記従コンテンツを記録する記録手段
をさらに備える請求項１に記載の画像処理装置。
【請求項１０】
前記主コンテンツは、放送番組またはゲームコンテンツである
請求項１に記載の画像処理装置。
【請求項１１】
前記主画面に表示される前記主コンテンツの音声と、前記従画面に表示される前記従コンテンツの音声を出力する音声出力手段をさらに備え、
前記制御手段は、前記検出手段により検出された前記特徴量に基づいて、前記音声出力手段を制御する
請求項１に記載の画像処理装置。
【請求項１２】
所定のコンテンツを所定の主画面としてまたは所定の従画面として表示できる画像処理方法において、
前記主画面に主コンテンツを表示し、前記従画面に従コンテンツを表示する表示ステップと、
前記従画面に表示させる前記従コンテンツの特徴量を検出する検出ステップと、
前記検出ステップの処理で検出された前記従コンテンツの前記特徴量が所定の閾値を超えた場合、前記従コンテンツを前記主コンテンツに代えて前記主画面に表示させる制御ステップと
を含み、
前記制御ステップの処理は、前記従コンテンツを前記主画面に表示させた場合、前記検出ステップの処理により検出された前記従コンテンツの前記特徴量の推移に応じて、前記主画面に表示されている前記従コンテンツの表示の大きさを段階的に変化させるとともに、前記従コンテンツの背面に前記主画面の大きさの前記主コンテンツを表示させる
画像処理方法。
【請求項１３】
所定のコンテンツを所定の主画面としてまたは所定の従画面として表示するためのプログラムにおいて、
前記主画面に主コンテンツを表示し、前記従画面に従コンテンツを表示する表示ステップと、
前記従画面に表示させる前記従コンテンツの特徴量を検出する検出ステップと、
前記検出ステップの処理で検出された前記従コンテンツの前記特徴量が所定の閾値を超えた場合、前記従コンテンツを前記主コンテンツに代えて前記主画面に表示させる制御ステップと
をコンピュータに実行させるためのプログラムであって、
前記制御ステップの処理は、前記従コンテンツを前記主画面に表示させた場合、前記検出ステップの処理により検出された前記従コンテンツの前記特徴量の推移に応じて、前記主画面に表示されている前記従コンテンツの表示の大きさを段階的に変化させるとともに、前記従コンテンツの背面に前記主画面の大きさの前記主コンテンツを表示させる
プログラム。
【発明の詳細な説明】
【技術分野】
【０００１】
本発明は、画像処理装置および方法、並びにプログラムに関し、特に、主画面および従画面にマルチ表示されるコンテンツについて、従画面に表示されるコンテンツの特徴量に基づいて、主画面の表示を切り替えることを可能とする画像処理装置および方法、並びにプログラムに関する。
【背景技術】
【０００２】
複数のコンテンツを主画面および従画面にマルチ表示することができる例えばテレビジョン受像機が開発されている。
【発明の開示】
【発明が解決しようとする課題】
【０００３】
しかしながら、例えば従画面に表示されているコンテンツを、その所定の特徴量に応じて主画面に表示させるなど、従画面に表示されているコンテンツの特徴量に応じて主画面の表示を切り替えることは、開発されていない。
【０００４】
本発明は、このような状況に鑑みてなされたものであり、例えば従画面に表示されるコンテンツの特徴量に応じて主画面の表示を切り替えることを可能にするものである。
【課題を解決するための手段】
【０００５】
本発明の一側面の画像処理装置は、主画面に主コンテンツを表示し、従画面に従コンテンツを表示する表示手段と、前記従画面に表示させる前記従コンテンツの特徴量を検出する検出手段と、前記検出手段により検出された前記従コンテンツの前記特徴量が所定の閾値を超えた場合、前記従コンテンツを前記主コンテンツに代えて前記主画面に表示させる制御手段とを備え、前記制御手段は、前記従コンテンツを前記主画面に表示させた場合、前記検出手段により検出された前記従コンテンツの前記特徴量の推移に応じて、前記主画面に表示されている前記従コンテンツの表示の大きさを段階的に変化させるとともに、前記従コンテンツの背面に前記主画面の大きさの前記主コンテンツを表示させる。
【０００７】
前記特徴量は、前記従コンテンツの音声の音量や所定の周波数の音声信号の大きさ、または前記従コンテンツの映像と所定の画像とのマッチング度であるようにすることができる。
【０００８】
前記制御手段は、所定の条件を満たしたとき、前記従コンテンツに代えて前記主画面に再び前記主コンテンツを表示させることができる。
【０００９】
前記主コンテンツの再生が停止されている場合において、前記主コンテンツの終了時刻が決定されている場合、前記制御手段は、前記終了時刻までに再生が完了するように、前記主コンテンツを再生する再生手段をさらに設けることができる。
【００１０】
前記制御手段は、前記閾値を超える特徴量が検出されたとき、前記従コンテンツの、前記閾値を超える特徴量が検出されたシーンから所定の時間遡ったシーンから前記主画面に表示させることができる。
【００１１】
前記制御手段は、前記主画面に表示された前記従コンテンツの特徴状態が終了するまで前記主画面の表示の切り替えを制限することができる。
【００１２】
前記制御手段は、前記従コンテンツの映像を反転させて前記主画面に表示させることができる。
【００１３】
前記制御手段は、複数の前記従コンテンツから、前記閾値を超える特徴量が同時に検出されたとき、前記複数の従コンテンツの全部または一部を前記主画面に表示させることができる。
【００１５】
前記従画面に表示される前記従コンテンツを記録する記録手段をさらに設けることができる。
【００１６】
前記主コンテンツは、放送番組またはゲームコンテンツであるようにすることができる。
【００１７】
前記主画面に表示される前記主コンテンツの音声と、前記従画面に表示される前記従コンテンツの音声を出力する音声出力手段をさらに備え、
前記制御手段は、前記検出手段により検出された前記特徴量に基づいて、前記音声出力手段を制御することができる。
【００１８】
本発明の一側面の画像処理方法は、主画面に主コンテンツを表示し、従画面に従コンテンツを表示する表示ステップと、前記従画面に表示させる前記従コンテンツの特徴量を検出する検出ステップと、前記検出ステップの処理で検出された前記従コンテンツの前記特徴量が所定の閾値を超えた場合、前記従コンテンツを前記主コンテンツに代えて前記主画面に表示させる制御ステップとを含み、前記制御ステップの処理は、前記従コンテンツを前記主画面に表示させた場合、前記検出ステップの処理により検出された前記従コンテンツの前記特徴量の推移に応じて、前記主画面に表示されている前記従コンテンツの表示の大きさを段階的に変化させるとともに、前記従コンテンツの背面に前記主画面の大きさの前記主コンテンツを表示させる。
【００１９】
本発明の一側面の複数のプログラムは、主画面に主コンテンツを表示し、従画面に従コンテンツを表示する表示ステップと、前記従画面に表示させる前記従コンテンツの特徴量を検出する検出ステップと、前記検出ステップの処理で検出された前記従コンテンツの前記特徴量が所定の閾値を超えた場合、前記従コンテンツを前記主コンテンツに代えて前記主画面に表示させる制御ステップとをコンピュータに実行させるためのプログラムであって、前記制御ステップの処理は、前記従コンテンツを前記主画面に表示させた場合、前記検出ステップの処理により検出された前記従コンテンツの前記特徴量の推移に応じて、前記主画面に表示されている前記従コンテンツの表示の大きさを段階的に変化させるとともに、前記従コンテンツの背面に前記主画面の大きさの前記主コンテンツを表示させる。
【００２０】
本発明の一側面においては、主画面に主コンテンツを表示し、従画面に従コンテンツが表示され、前記従画面に表示させる前記従コンテンツの特徴量が検出され、検出された前記従コンテンツの前記特徴量が所定の閾値を超えた場合、前記従コンテンツが前記主コンテンツに代えて前記主画面に表示される。そして、前記従コンテンツを前記主画面に表示させた場合、検出された前記従コンテンツの前記特徴量の推移に応じて、前記主画面に表示されている前記従コンテンツの表示の大きさを段階的に変化させるとともに、前記従コンテンツの背面に前記主画面の大きさの前記主コンテンツが表示される。
【発明の効果】
【００２１】
以上のごとく、本発明の一側面によれば、例えば従画面に表示されるコンテンツの特徴量に応じて、主画面の表示を切り替えることができる。
【発明を実施するための最良の形態】
【００２２】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２３】
請求項１に記載の画像処理装置は、
前記主画面（例えば、図２の主画面２１）に主コンテンツ（例えば、図２のコンテンツＭ）を表示し、前記従画面（例えば、図２の従画面２２）に従コンテンツ（例えば、コンテンツＣ）を表示する表示手段（例えば、図６の表示制御部２０６）と、
前記従画面に表示させる前記従コンテンツの特徴量を検出する検出手段（例えば、図６の特徴量抽出部２０３）と、
前記検出手段により検出された前記特徴量に基づいて、前記主画面の表示を切り替える制御手段（例えば、図６の制御部２０４）と
を備えることを特徴とする。
【００２４】
請求項２に記載の画像処理装置は、
前記制御手段は、所定の閾値を超える前記特徴量が得られた前記従コンテンツを、前記主コンテンツに代えて前記主画面に表示させる（例えば、図３）
ことを特徴とする。
【００２５】
請求項３に記載の画像処理装置は、
前記特徴量は、前記従コンテンツの音声の音量や所定の周波数の音声信号の大きさ（例えば、図８Ｂ）、または前記従コンテンツの映像と所定の画像とのマッチング度である
ことを特徴とする。
【００２６】
請求項４に記載の画像処理装置は、
前記制御手段は、所定の条件を満たしたとき、前記主画面の表示を、前記主コンテンツに戻す（例えば、図１０）
ことを特徴とする。
【００２７】
前記主コンテンツの再生が停止されている場合において、前記主コンテンツの終了時刻が決定されている場合、前記制御手段は、前記終了時刻までに再生が完了するように、前記主コンテンツを再生する再生手段（例えば、図６の再生部２０２）（例えば、図１１および図１２）
をさらに備えることを特徴とする。
【００２８】
請求項６に記載の画像処理装置は、
前記制御手段は、前記閾値を超える特徴量が検出されたとき、前記従コンテンツの、前記閾値を超える特徴量が検出されたシーンから所定の時間遡ったシーンから前記主画面に表示させる（例えば、図１４）
ことを特徴とする。
【００２９】
請求項７に記載の画像処理装置は、
前記制御手段は、前記主画面に表示された前記従コンテンツの特徴状態が終了するまで前記主画面の表示の切り替えを制限する（例えば、図１５）
ことを特徴とする。
【００３０】
請求項８に記載の画像処理装置は、
前記制御手段は、前記従コンテンツの映像を反転させて前記主画面に表示させる（例えば、図２９乃至図３１）
ことを特徴とする。
【００３１】
請求項９に記載の画像処理装置は、
前記制御手段は、複数の前記従コンテンツから、前記閾値を超える特徴量が同時に検出されたとき、前記複数の従コンテンツの全部または一部を前記主画面に表示させる（例えば、図１７）
ことを特徴とする。
【００３２】
請求項１０に記載の画像処理装置は、
前記制御手段は、前記主画面に表示されている前記従コンテンツの表示を、前記特徴量の推移に応じて変化させる（例えば、図１６）
ことを特徴とする。
【００３３】
請求項１１に記載の画像処理装置は、
前記従画面に表示される前記従コンテンツを記録する記録手段（例えば、図６の記録制御部２０７）
をさらに備えることを特徴とする。
【００３４】
請求項１２に記載の画像処理装置は、
前記主コンテンツは、放送番組またはゲームコンテンツである（例えば、図３および図３２）
ことを特徴とする。
【００３５】
請求項１３に記載の画像処理装置は、
前記主画面に表示される前記主コンテンツの音声と、前記従画面に表示される前記従コンテンツの音声を出力する音声出力手段（例えば、図６の音声出力制御部２０５）をさらに備え、
前記制御手段は、前記検出手段により検出された前記特徴量に基づいて、前記音声出力手段を制御する（例えば、図３６および図３７）
ことを特徴とする。
【００３６】
請求項１４に記載の画像処理方法および請求項１５に記載のプログラムは、
前記主画面に主コンテンツを表示し、前記従画面に従コンテンツを表示する表示ステップ（図６の表示制御部２０６の処理）と、
前記従画面に表示させる前記従コンテンツの特徴量を検出する検出ステップ（例えば、図７のステップＳ１）と、
前記検出ステップの処理で検出された前記特徴量に基づいて、前記主画面の表示を切り替える制御ステップ（例えば、図７のステップＳ２およびステップＳ３）と
を含むことを特徴とする。
【００３７】
以下、図面を参照して、本発明の実施の形態について説明する。
【００３８】
図１は、本発明を適用した画像処理装置１と、画像処理装置１とケーブルを介して接続されるテレビジョン受像機２（以下、TV２という）の外観の例を示している。
【００３９】
画像処理装置１は、HDD(Hard Disk Drive)１１８（図５）を内蔵するデジタル録画機器であり、例えば図示せぬアンテナを介して受信した放送波から複数のコンテンツのデータを取得し、取得したコンテンツのデータに対応する映像（以下、適宜、コンテンツの映像と称する）を、TV２の表示部１１に、図２に示すようにマルチ表示することができる。
【００４０】
図２の例では、１個の主画面２１（大きな画面）と、３個の従画面２２−１乃至２２−３（小さな画面）（以下、個々に区別する必要がない場合、単に、従画面２２と称する）が設けられ、主画面２１には、所定のコンテンツ（初期状態において主画面２１に表示されるコンテンツをコンテンツＭと称する）が表示される。
【００４１】
コンテンツＭは、視聴者により選択された任意のコンテンツとすることもできるし、ライブ番組を優先的にコンテンツＭとして主画面２１に表示することもできる。
【００４２】
各従画面２２には、例えば所定のチャンネルで放送されるコンテンツが表示され、図２の例では、従画面２２−１にコンテンツＣaが、従画面２２−２にコンテンツＣbが、そして従画面２２−３にコンテンツＣcがそれぞれ表示されている。画像処理装置１は、従画面２２に表示するコンテンツＣa、コンテンツＣb、およびコンテンツＣc（以下、個々に区別する必要がない場合、コンテンツＣと称する）を同時にHDD１１８に記録することができる。
【００４３】
画像処理装置１はさらに、従画面２２に表示するコンテンツＣの特徴量を検出し、その特徴量に応じて、主画面２１の表示を切り替えることができる。
【００４４】
例えば、図２に示したように、コンテンツＭが主画面２１に、コンテンツＣaが従画面２２−１に、コンテンツＣbが従画面２２−２に、そしてコンテンツＣcが従画面２２−３にそれぞれ表示されている状態（初期状態）において、従画面２２−３に表示されているコンテンツＣcの特徴量が所定の閾値を超えたとき、図３に示すように、主画面２１の表示を、コンテンツＭの映像から、コンテンツＣcのそのときのシーン（以下、特徴シーンと称する）からの映像に切り替えることができる。
【００４５】
特徴量は、例えば、コンテンツＣの音声信号から得られる音量や所定の周波数の音声信号の大きさとすることができる。サッカー中継番組では、得点が入ったときなどは、観客の声援等の音声出力が大きくなり、音量や所定の周波数の音声信号が大きくなるので、それらを特徴量とすれば、得点シーン（盛り上がりシーン）を特徴シーンとして検出し、その盛り上がりシーンからの映像を大きな画面の主画面２１に表示することができる。
【００４６】
すなわち図２および図３におけるコンテンツＣcがサッカー中継番組である場合、図４に示すように、そのときの盛り上がりシーン（この例の場合、得点した選手のアップ映像）を、主画面２１に表示することができる。
【００４７】
特徴量はまた、コンテンツＣの画像と、例えば、所定の俳優の顔部分の画像とのマッチング度とすることができる。そのマッチング度を特徴量とすれば、ドラマ番組において、その俳優が登場するシーンの画像からは、高いマッチング度が得られるので、その俳優が登場したシーンを特徴シーンとして検出し、そのシーンからの映像を大きな主画面２１に表示することができる。
【００４８】
なお特徴量は、コンテンツＣの特徴を表す量であれば、上述した例に限られるものではない。
【００４９】
すなわち本発明によれば、このように従画面２２に表示されるコンテンツＣを、その特徴量に応じて主画面２１に表示するなど、従画面２２に表示されるコンテンツＣの特徴量に応じて主画面２１の表示を切り替えることができるので、視聴者の嗜好に合った特徴量を設定することで、視聴者は、コンテンツＭを主画面２１で視聴しながら、嗜好に合ったコンテンツＣの映像も、適宜、主画面２１で視聴することができる。
【００５０】
なお従画面２２に表示される画像は動画であっても静止画であってもよい。
【００５１】
図５は、画像処理装置１のハードウエア構成例を示すブロック図である。
【００５２】
CPU(Central Processing Unit)１０１は、ROM(Read Only Memory)１０３に記憶されたプログラムや、HDD１１８から、HDD I/F１１７およびバス１０４を介してRAM(Random Access Memory)１０２にロードされたプログラムを実行し、例えば、U/I制御部１０５により受信されたユーザからの指示（例えば図示せぬリモートコントローラからのコマンド）に応じて各部の動作を制御する。
【００５３】
チューナ１０６は、CPU１０１による制御に従って、図示せぬアンテナからの放送信号を受信し、受信信号を復調器１０７に出力する。
【００５４】
復調器１０７は、チューナ１０６から供給されてきた受信信号を復調し、所定のチャンネルで放送されてきたトランスポートストリームをTSデコーダ１０８に出力する。
【００５５】
TSデコーダ１０８は、CPU１０１による制御に従って、復調器１０７から供給されてきたトランスポートストリームから所定のストリームを、RAM１０９を用いて抽出し、抽出したストリームを構成するパケットをバス１０４上に、または、AVデコーダ１１０に出力する。バス１０４上に供給されたパケット（コンテンツのデータ）は、例えば、HDD I/F１１７を介してHDD１１８に供給され、記録される。また、TSデコーダ１０８により得られたEPGも、適宜、HDD１１８に供給され、記録される。
【００５６】
AVデコーダ１１０は、TSデコーダ１０８から供給されてきたビデオデーダ（ビデオパケット）とオーディオデータ（オーディオパケット）を、RAM１１１を用いてデコードし、デコードして得られたオーディオ信号をMUX１１２に、ビデオ信号をMUX１１３にそれぞれ出力する。
【００５７】
MUX１１２は、AVデコーダ１１０から供給されてきたオーディオ信号に対応する音声をTV２のスピーカ１２から出力させる。
【００５８】
MUX１１３は、AVデコーダ１１０から供給されてきたビデオ信号と、表示コントローラ１１４から供給されてきたビデオ信号（OSD(On Screen Display)信号）に基づいて、所定の画像（画面）をTV２の表示部１１に表示させる。
【００５９】
表示コントローラ１１４は、CPU１０１による制御に従って、例えば主画面２１および従画面２２等のコンテンツをマルチ表示させるためのビデオ信号を生成し、生成したビデオ信号をMUX１１３に出力する。
【００６０】
SIO(Serial I/O)コントローラ１１５は、高速モデム１３１を制御することによってインターネット１３２を介してWebサーバ１３３等に接続し、EPGなどを必要に応じてダウンロードする。ダウンロードにより得られたEPGはHDD１１８に供給され、記憶される。
【００６１】
IEEE(Institute of Electrical and Electronics Engineers)1394 I/F１１６は、IEEE1394ケーブルを介して接続されるビデオカメラ１３４からビデオデータを取り込む。
【００６２】
HDD I/F１１７は、バス１０４を介して供給されてきたデータをHDD１１８に記憶させるとともに、要求に応じて、HDD１１８に記憶されているデータを、バス１０４を介して各部に供給する。
【００６３】
カードI/F１１９は、バス１０４を介して供給されてきたデータを、スロット１２０に装着されたメモリカード１３５に記録させ、また、メモリカード１３５に記録されているデータを読み出してバス１０４上に出力する。
【００６４】
図６は、画像処理装置１のマルチ表示機能に係る機能的構成例を示している。
【００６５】
入力部２０１（図５のチューナ１０６、SIOコントローラ１１５、IEEE1394I/F１１６、HDDI/F１１７およびCPU１０１等で実現される）は、例えばアンテナを介して受信された放送信号、ネットワーク１３２を介して受信されたコンテンツ、HDD１１８に記憶されているコンテンツ等を入力して、再生部２０２に供給する。
【００６６】
再生部２０２（図５の復調器１０７乃至RAM１１１およびCPU１０１等で実現される）は、入力部２０１から供給された放送信号等を再生し、その結果得られた所定のコンテンツのビデオ信号およびオーディオ信号を特徴量抽出部２０３および制御部２０４に供給する。
【００６７】
特徴量抽出部２０３（図５のCPU１０１等で実現される）は、再生部２０２から供給されたビデオ信号やオーディオ信号を解析し、例えば視聴者の指定に応じた特徴量を抽出し、制御部２０４に供給する。
【００６８】
例えば、特徴量が音量や所定の周波数の音声信号の大きさとされた場合、所定の音声解析が行われ、その結果得られた音量や所定の周波数の音声信号の大きさ等が、制御部２０４に供給される。
【００６９】
また特徴量が所定の画像とのマッチング度とされた場合、再生部２０２から供給されたビデオ信号を解析して、その画像とのマッチング度が検出され、制御部２０４に供給される。
【００７０】
制御部２０４（CPU１０１等により実現される）は、表示制御部２０６を制御して、再生部２０２から供給されたビデオ信号に対応する各コンテンツの映像をマルチ表示させる。制御部２０４はそのとき、例えば、特徴量抽出部２０３から供給された特徴量を所定の閾値と比較して、特徴シーン（盛り上がりシーン、所定俳優が登場するシーンなど）を検出し、特徴シーンが検出されたコンテンツを音声出力制御部２０５や表示制御部２０６に通知する処理を行う。
【００７１】
制御部２０４はまた、音声出力制御部２０５を制御して、再生部２０２から供給された音声信号に対応する音声をスピーカ１２から出力させる。
【００７２】
制御部２０４はまた、記録制御部２０７を制御して、再生部２０２から供給されたビデオ信号およびオーディオ信号をHDD１１８に記録させる。
【００７３】
音声出力制御部２０５（図５のMUX１１２およびCPU１０１等で実現される）は、後述するように制御部２０４の制御に従って、コンテンツの音声をスピーカ１２から出力させる。
【００７４】
表示制御部２０６（図５のMUX１１３、表示コントローラ１１４およびCPU１０１等で実現される）は、後述するように制御部２０４の制御に従って、コンテンツの表示を、表示部１１にマルチ表示させる。
【００７５】
記録制御部２０７は、制御部２０４の制御に従って、コンテンツデータをHDD１１８に記憶させる。
【００７６】
次に、画像処理装置１の表示切替処理を、図７のフローチャートを参照して説明する。
【００７７】
なおいまの場合TV２の表示部１１には、図２に示したように、主画面２１および従画面２２−１乃至２２−３が設けられ、主画面２１にはコンテンツＭが表示され、従画面２２−１乃至２２−３には、コンテンツＣa乃至コンテンツＣcのそれぞれが記録されると同時に表示されるものとする。
【００７８】
すなわち画像処理装置１の制御部２０４は、再生部２０２から供給されたコンテンツＭ、およびコンテンツＣa乃至コンテンツＣcのビデオ信号を表示制御部２０６に供給する処理を、表示制御部２０６は、コンテンツＭのビデオ信号に対応する映像を主画面２１に表示し、コンテンツＣaのビデオ信号に対応する映像を従画面２２−１に表示し、コンテンツＣbのビデオ信号に対応する映像を従画面２２−２に表示し、コンテンツＣcのビデオ信号に対応する映像を従画面２２−３に表示する処理を、そして記録処理部２０７は、コンテンツＣa乃至コンテンツＣcをHDD１１８に記録する処理を、別途開始しているものとする。
【００７９】
ステップＳ１において、特徴量抽出部２０３は、従画面２２に表示されるコンテンツＣの特徴量の検出を開始し、その検出結果を、制御部２０４に出力する。
【００８０】
例えば、図８Ｂに示すようなコンテンツＣa、コンテンツＣb、およびコンテンツＣcの特徴量（例えば音量や所定の周波数の音声信号の大きさ）の検出が開始され、その検出結果が制御部２０４に供給される。
【００８１】
ステップＳ２において、制御部２０４は、コンテンツＣ毎に、特徴量抽出部２０３から供給された特徴量と所定の閾値を比較し、その閾値を超える特徴量が検出まで待機し、閾値を超えた特徴量が検出されたとき、ステップＳ３に進む。
【００８２】
ステップＳ３において、制御部２０４は、閾値を超えた特徴量が得られたコンテンツＣ（図３の例では、コンテンツＣc）を表示制御部２０６に通知する。表示制御部２０６は、制御部２０４から通知されたコンテンツＣ（コンテンツＣc）の、閾値を超えた特徴量が得られたシーン（特徴シーン）からの映像を主画面２１に表示する（図３）。
【００８３】
なお図３に示すように、従画面２２−３には、コンテンツＣcがそのまま表示されるようにすることもできるし、図９に示すように、主画面２１に表示されていたコンテンツＭが表示されるようにすることもできる。
【００８４】
その後、ステップＳ２に戻り、それ以降の処理が同様に行われる。
【００８５】
以上のようにして主画面２１の表示が、従画面２２に表示されているコンテンツＣの特徴量に応じて切り替えられる。
【００８６】
図８を参照して、上述した表示切替処理を具体的に説明する。図８の例では、時刻ｔ11でコンテンツＣcから閾値を超える特徴量が検出され（特徴シーンが検出され）（図８Ｂ）（ステップＳ２）、その時点で主画面２１の表示が、コンテンツＭの映像からコンテンツＣcの映像に切り替えられる（図３、図８Ａ）。
【００８７】
また時刻ｔ21でコンテンツＣbから閾値を超える特徴量が検出され（図８Ｂ）、その時点で主画面２１の表示が、コンテンツＣcの映像からコンテンツＣbの映像に切り替えられる（図８Ａ）。
【００８８】
また時刻ｔ31でコンテンツＣaから閾値を超える特徴量が検出され（図８Ｂ）、その時点で主画面２１の表示が、コンテンツＣbの映像からコンテンツＣaの映像に切り替えられる（図８Ａ）。
【００８９】
また時刻ｔ41で再びコンテンツＣcから閾値を超える特徴量が検出され（図８Ｂ）、その時点で主画面２１の表示が、コンテンツＣaの映像からコンテンツＣcの映像に切り替えられる（図８Ａ）。
【００９０】
具体的には、このように主画面２１の表示が、従画面２２に表示されているコンテンツＣの特徴量に応じて切り替えられる。
【００９１】
なお図８の例においては、次に特徴シーンが検出されるまで主画面２１の表示が切り替えられなかったが、特徴量が一定の値まで減少したり、所定の時間Ｔv次の特徴シーンが検出されなかった場合、主画面２１の表示を、初期状態において主画面２１に表示されていたコンテンツＭの映像に切り替えるようにすることができる。
【００９２】
図１０（コンテンツＣの特徴量は、図８における場合と同じ）の例では、時刻ｔ41でコンテンツＣcから特徴シーンが検出された後、所定の時間Ｔvの間、特徴シーンが検出されないので、時間Ｔv経過時の時刻ｔ51に、コンテンツＭが再び主画面２１に表示される。
【００９３】
なおコンテンツＭが、主画面２１の表示がコンテンツＣに切り替えられた後、従画面２２にも表示されない場合（図３）、コンテンツＭの再生は、図１０の例では時刻ｔ11から時刻ｔ51まで中断される。この場合、コンテンツＭがドラマ番組であり、図１１に示すように、放送終了時刻ｔendが決められているとき、その時刻までに再生が完了するように再生する必要がある。
【００９４】
そこで、そのような場合、図１１の例では、時刻ｔ51でのコンテンツＭの残りの再生量はｒ１であることから、時刻ｔ51から時刻ｔendまでの時間で再生量ｒ1を除算して得られた再生速度で、コンテンツＭを再生（話速再生）することができる。
【００９５】
また出来るだけ通常の再生速度で再生するために、再生量が、図１２に示すように、残り時間との関係で通常の再生速度で再生可能となる再生量ｒ2になるように、時刻ｔ51から時刻61まで高速で再生することもできる。時刻ｔ61からは、通常の再生速度で再生され、時刻ｔendで再生が完了する。
【００９６】
図１３の主画面２１および従画面２２には、そこに表示されるコンテンツの種類を識別できる表示が付加されている。この例の場合、コンテンツＭおよびコンテンツＣaがライブ番組であるので、それらが表示されている主画面２１および従画面２２−１には、その旨を表す枠Ｗが表示されている。
【００９７】
このように、表示されるコンテンツの種類を識別できる表示が主画面２１および従画面２２に付されることにより、視聴者は、そこに表示されるコンテンツの種類を容易に把握することができる。
【００９８】
例えばコンテンツＭが、主画面２１の表示が切り替えられて再生が中断し再表示されるとき、上述した特殊再生が必要となるコンテンツであることも容易に把握することができる。
【００９９】
図８および図１０の例においては、特徴シーンが検出されると、その特徴シーンからの映像が主画面２１に表示されたが、特徴シーンから所定の時間Ｔbだけ遡ったシーンからの映像が表示されるようにすることができる。
【０１００】
図１４（コンテンツＣの特徴量は、図８における場合と同じ）の例では、時刻ｔ11から、コンテンツＣcの、時刻ｔ11から時間Ｔbだけ遡った時刻ｔ10のシーンからの映像が主画面２１に表示され、時刻ｔ21から、コンテンツＣbの、時刻ｔ21から時間Ｔbだけ遡った時刻ｔ20のシーンからの映像が主画面２１に表示される。
【０１０１】
また時刻ｔ31から、コンテンツＣaの、時刻ｔ31から時間Ｔbだけ遡った時刻ｔ30のシーンからの映像が主画面２１に表示され、時刻ｔ41から、コンテンツＣcの、時刻ｔ41から時間Ｔbだけ遡った時刻ｔ40のシーンからの映像が主画面２１に表示される。
【０１０２】
例えばサッカーの中継番組において、図４に示すように、得点を上げた選手を映すシーンが特徴シーンとして検出されることがあるが、上述したように、そのシーンから所定の時間Ｔbだけ遡ったシーンからの映像を表示することにより、得点された経過を示す映像を主画面２１に表示させることができる。
【０１０３】
なお遡る時間Ｔbの長さは、コンテンツの内容によって決定することができる。例えば、サッカー中継番組であれば、時間Ｔb1とし、野球中継番組であれば、時間Ｔb1と異なる時間Ｔb2とすることができる。
【０１０４】
図８、図１０、および図１４の例においては、特徴シーンが検出されると、直ちに主画面２１の表示が切り替わったが、いま主画面２１に表示されているコンテンツＣにおいて特徴状態（例えば特徴量が所定の値以上である状態）が継続している場合、その特徴状態が終了するのを待って（特徴量が所定の値より小さくなるまで待って）、主画面２１の表示を切り替えることができる。
【０１０５】
図１５（コンテンツＣの特徴量は、図８における場合と同じ）の例では、コンテンツＣcは時刻ｔ11から主画面２１に表示されるが、盛り上がり状態が時刻ｔ13まで継続しているので（特徴量が大きい状態が継続しているので）、時刻ｔ13より前の時刻ｔ21でコンテンツＣbから特徴シーンが検出されても、時刻ｔ13までは主画面２１の表示の切り替えは行われず、コンテンツＣcの盛り上がりが終了した時点（時刻ｔ13）で、主画面２１の表示がコンテンツＣbに切り替わっている。
【０１０６】
図３の例においては、次の特徴シーンが検出されるまで、主画面２１には特徴シーンが検出されたコンテンツＣが同じように表示されたが、その特徴量の推移に応じて、そのコンテンツＣの表示を変化させることができる。
【０１０７】
例えば、図１６に示すように、主画面２１の表示がコンテンツＣcの映像に切り替えられた後、コンテンツＣcの特徴量の減少に応じて、そのコンテンツＣcの表示を段階的に小さくし、その背面にコンテンツＭの映像が表示されるようにすることができる。
【０１０８】
図３、および図８等の例においては、各コンテンツの特徴シーン等が異なるタイミングで検出されていたが、複数のコンテンツから同時に特徴シーンが検出される場合も考えられるので、そのときは、主画面２１を複数に分割してそれらのコンテンツを同時に表示することができる。
【０１０９】
例えば、図１７に示すように、同時に特徴シーンが検出されたコンテンツＣaおよびコンテンツＣbの映像が、２個に分割された主画面２１−１および２１−２に同時に表示されるようにすることができる。
【０１１０】
なお図１７の例では、同じ大きさの２個の主画面２１が形成されたが、図１８Ａに示すように、同時に検出された特徴シーンについて特徴量が大きかった方のコンテンツＣbの映像を、主画面２１全体に表示し、特徴量が小さかった方のコンテンツＣaの映像をその一部に組み込むようにして表示することもできる。
【０１１１】
また図１８Ｂおよび図１８Ｃに示すように、特徴量が小さかった方のコンテンツＣaの映像を、その特徴量の変化に応じて段階的に変化させる（図１８の例では小さくする）こともできる。
【０１１２】
図２および図３の例では、初期状態として、主画面２１とともに従画面２２が設けられ、それぞれにコンテンツＭおよびコンテンツＣが表示されていたが、図１９に示すように、初期状態として大きな主画面２１だけを設けてコンテンツＭを表示し、コンテンツＣを裏で記録するようにし、コンテンツＣを表示しないようにすることができる。そして記録しているコンテンツＣにおいて特徴シーンが検出されたとき、図２０に示すように、特徴シーンが検出されたコンテンツＣ（コンテンツＣc）が主画面２１に表示されるようにすることができる。
【０１１３】
また裏で記録されているコンテンツＣ（例えば、コンテンツＣc）から特徴シーンが検出されたとき、図２１に示すように、主画面２１が縮小されされるとともに、そこにコンテンツＣcが表示され、そして新たに従画面２２が設けられるとともに、そこに、コンテンツＣcの過去の特徴シーン（Ｃc−Ｄ１、Ｃc−Ｄ２、Ｃc−Ｄ３）が時間順に表示されるようにすることもできる。また従画面２２に代えて、例えば特徴シーンの時刻等を示すリストが表示されるようにすることもできる。
【０１１４】
また裏で記録されているコンテンツＣの記録が終了したとき、記録を終了したコンテンツＣを、主画面２１に表示するようにすることもできる。またその際、図２１に示すように、従画面２２が新たに設けられ、そこに、そのコンテンツＣの特徴シーンが時間順に表示されるようにすることもできる。
【０１１５】
またその他、視聴者により所定の操作がなされたとき、未視聴のコンテンツＣが優先的に主画面２１に表示されるようにすることもできる。またその際にも、図２１に示すように、従画面２２が新たに設けられ、そこに、そのコンテンツＣの特徴シーンが時間順に表示されるようにすることができる。
【０１１６】
図２および図３等の例においては、特徴シーンが検出されたとき、主画面２１の表示が切り替わるようにしたが、例えば、図２２に示すように、カーソルＫで視聴者が所望の従画面２２を選択することができるようにし、図２３に示すように、選択した従画面２２に表示されていたコンテンツＣが主画面２１に表示されるようにすることもできる。
【０１１７】
また主画面２１に表示されていたコンテンツＭの放送が終了したとき、主画面２１の表示を切り替えるようにすることができる。
【０１１８】
図２の主画面２１に表示されているコンテンツＭ、および従画面２２に表示されているコンテンツＣが、図２４に示すタイミングで終了する場合において、時刻ｔ71でコンテンツＭの放送が終了したとき、図２５Ａに示すように、従画面２２−１に表示されていたコンテンツＣaが主画面２１に表示されるようにすることができる。
【０１１９】
このとき従画面２２−１にはコンテンツＣbが、そして従画面２２−２にはコンテンツＣcが、それぞれ順に移動して表示され、従画面２２−３は、消去される。
【０１２０】
また例えば時刻ｔ72でコンテンツＣcの放送が終了した場合、図２５Ｂに示すように、従画面２２−２は消去される。またさらに時刻ｔ73でコンテンツＣbの放送が終了した場合、図２５Ｃに示すように、従画面２２−１も消去される。
【０１２１】
なお従画面２２の数が少なくなったときに、図２５Ｄに示すように、主画面２１を拡大し、従画面２２に表示されているコンテンツの映像が、その主画面２１内に組み込まれるようにすることもできる。
【０１２２】
また従画面２２を削除する場合、図２５Ａの例のように、従画面２２を単純に削除するだけでなく、図２６に示すように、残った従画面２２の大きさを、横方向に拡張させて見やすくすることもできる。
【０１２３】
以上においては、従画面２２に表示されるコンテンツＣの順番については言及しなかったが、従画面２２に表示されるコンテンツＣの順番を、同じジャンルのコンテンツＣが並んで表示されるようにし、表示されるコンテンツＣが変更されて、そのジャンルが変更された場合、従画面２２に表示される順番を際調整することもできる。
【０１２４】
コンテンツＣa乃至コンテンツＣcがスポーツ番組で同じジャンルのコンテンツである場合、例えば図２に示すように、それらは従画面２２−１乃至２２−３に順に表示される。しかしながら、例えば、図２７に示すように、コンテンツＣbが終了し（時刻ｔs）、ニュース番組のコンテンツＣb’が放送されるようになったとき、図２８に示すように、従画面２２−１と２２−２に、コンテンツＣaおよびコンテンツＣc（スポーツ番組）が並んで表示され、従画面２２−３に、コンテンツＣb'が表示されるようにすることができる。
【０１２５】
図３および図４の例では、特徴シーンからの映像がそのまま主画面２１に表示されたが、例えば反転させた映像が表示されるようにすることもできる。
【０１２６】
図２９の主画面２１に表示されているコンテンツＣの映像は、図３０の従画面２２−３に表示されていたコンテンツＣの映像が線Ｘを中心に反転された映像（鏡に映った映像）である。
【０１２７】
例えば、床屋などで視聴者（床屋のお客）が鏡越しにテレビジョン受像機２に表示される映像を見る場合、特徴シーンが検出されたときこのように反転した映像を主画面２１に表示するようにすれば、例えば盛り上がったシーンをその視聴者に見えやすいように表示ことができる。
【０１２８】
また図２９に示すように、反転されていない映像を従画面２２−３にそのまま表示することもできる。また図３１に示すように、主画面２１に、反転されない映像（図３０の従画面２２−３の映像）がそのまま表示され、従画面２２−３に反転画像が表示されるようにすることもできる。
【０１２９】
図３の例では、主画面２１には、例えば受信されたコンテンツＭが表示されたが、図３２Ａに示すように、画像処理装置１を介して供給されるゲーム機５００からのゲームコンテンツＧの映像が表示されるようにすることもできる。
【０１３０】
すなわちこの例の場合、従画面２２に表示されているコンテンツＣから特徴シーンが検出されると、主画面２１の表示が、図３２Ｂに示すように、ゲームコンテンツＧの映像から特徴シーンが検出されたコンテンツＣ（コンテンツＣb）の映像に切り替えられる。
【０１３１】
このようにすることにより、ゲーム機５００でゲームを利用しているユーザに対しても、コンテンツＣの盛り上がったシーンを適切に提供することができる。
【０１３２】
なお図３２の例では、１個のゲームコンテンツＧの映像が表示されていたが、複数のゲームコンテンツＧの映像が主画面２１に表示されるようにすることもできる。
【０１３３】
例えば、図３３Ａのように、２個のゲーム機５００が接続されて、それぞれのゲームコンテンツＧの映像が２個の主画面２１−１および２１−２にそれぞれ表示されるようにすることができる。
【０１３４】
この例の場合、従画面２２に表示されているコンテンツＣから特徴シーンが検出されると、図３３Ｂに示すように、２つの主画面２１が１つの主画面２１に再構成され、そこに特徴シーンが検出されたコンテンツＣ（コンテンツＣb）が表示されるまた盛り上がりが終了した時には、図３３Ａに示すように、再び、主画面２１を２つの主画面２１に再構成して、それぞれにもとのゲームコンテンツＧの映像が表示される。
【０１３５】
また図３４に示すように、インターネット１３２を介して接続される複数の画像処理装置１においても同様な表示切り替えをすることができる。
【０１３６】
すなわちこの例の場合、各TV２の表示部１１の従画面２２に表示されているコンテンツＣから特徴シーンが検出されると、各主画面２１の表示が、図３５に示すように、ゲームコンテンツＧの映像から、特徴シーンが検出されたコンテンツＣ（コンテンツＣb）の映像に同時に切り替えられる。
【０１３７】
以上においては、コンテンツの音声については言及しなかったが、主画面２１および従画面２２に表示されているコンテンツＣのすべての音声を一定の音量で、スピーカ１２から出力しておき、主画面２１の表示が切り替わったとき、主画面２１に表示されるようになったコンテンツＣの音声の音量を、他のコンテンツの音量より上げて出力することもできる。
【０１３８】
また図３６に示すように、主画面２１に表示されているコンテンツＣの音声をスピーカ１２−１から出力させ、従画面２２−１に表示されているコンテンツの音声をスピーカ１２−２から出力させ、そして従画面２２−３に表示されているコンテンツＣの音声をスピーカ１２−３から出力させるようにし、そして例えばコンテンツＣａから特徴シーンが検出されたとき、図３７に示すように、主画面２１の表示を、コンテンツＣaの映像に切り替えるとともに、すべてのスピーカ１２からコンテンツＣaの音声が出力させるようにすることもできる。
【０１３９】
なお図３６および図３７でスピーカ１２は、説明のため便宜上抜き出されて図示されている。
【０１４０】
なお上述した説明の中のマルチ画面表示は、通常の単一画面表示から必要に応じて行われるようにすることができる。すなわち、リモコンなどの所定操作手段によりユーザが、マルチ画面表示の動作モードを選択することで、所定盛上りに応じて、前記、各説明のようにマルチ画面表示を行うようにしても良い。
【０１４１】
また以上においては、上述した各処理を、画像処理装置１単独に実行するものとしたが、例えばインターネット１３２で接続される図示せぬ処理サーバとの間で所定のソフトウエアセルを適宜送受信するようにして実行することもできる。
【０１４２】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０１４３】
コンピュータにインストールされ、コンピュータによって実行可能な状態とされるプログラムを格納するプログラム記録媒体は、図５のメモリカード１３５や、磁気ディスク（フレキシブルディスクを含む）、光ディスク（CD-ROM(Compact Disc-Read Only Memory),DVD(Digital Versatile Disc)を含む）、若しくは光磁気ディスクを含む）などよりなるパッケージメディアであるリムーバブルメディア、またはROM１０３やHDD１１８などにより構成される。プログラム記録媒体へのプログラムの格納は、必要に応じてルータ、モデムなどのインタフェースであるSIOコントローラ１１５を介して、ローカルエリアネットワーク、インターネット、デジタル衛星放送といった、有線または無線の通信媒体を利用して行われる。
【０１４４】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１４５】
また本発明の実施の形態は、上述した実施の形態に限定されるものではなく、本発明の要旨を逸脱しない範囲において種々の変更が可能である。
【図面の簡単な説明】
【０１４６】
【図１】本発明を適用した画像処理装置１の利用例を示す図である。
【図２】図１のTV２の表示部１１の表示例を示す図である。
【図３】図１のTV２の表示部１１の他の表示例を示す図である。
【図４】図１のTV２の表示部１１の他の表示例を示す図である。
【図５】図１の画像処理装置１のハードウエア構成例を示すブロック図である。
【図６】図１の画像処理装置１の機能的構成例を示すブロック図である。
【図７】表示切替処理を説明するフローチャートである。
【図８】表示切替処理を説明する図である。
【図９】図１のTV２の表示部１１の他の表示例を示す図である。
【図１０】表示切替処理を説明する他の図である。
【図１１】特殊再生を説明する図である。
【図１２】特殊再生を説明する図である。
【図１３】図１のTV２の表示部１１の他の表示例を示す図である。
【図１４】表示切替処理を説明する他の図である。
【図１５】表示切替処理を説明する他の図である。
【図１６】図１のTV２の表示部１１の他の表示例を示す図である。
【図１７】図１のTV２の表示部１１の他の表示例を示す図である。
【図１８】図１のTV２の表示部１１の他の表示例を示す図である。
【図１９】図１のTV２の表示部１１の他の表示例を示す図である。
【図２０】図１のTV２の表示部１１の他の表示例を示す図である。
【図２１】図１のTV２の表示部１１の他の表示例を示す図である。
【図２２】図１のTV２の表示部１１の他の表示例を示す図である。
【図２３】図１のTV２の表示部１１の他の表示例を示す図である。
【図２４】コンテンツの放送時間の例を示す図である。
【図２５】図１のTV２の表示部１１の他の表示例を示す図である。
【図２６】図１のTV２の表示部１１の他の表示例を示す図である。
【図２７】コンテンツのジャンルの例を示す図である。
【図２８】図１のTV２の表示部１１の他の表示例を示す図である。
【図２９】図１のTV２の表示部１１の他の表示例を示す図である。
【図３０】図１のTV２の表示部１１の他の表示例を示す図である。
【図３１】図１のTV２の表示部１１の他の表示例を示す図である。
【図３２】図１のTV２の表示部１１の他の表示例を示す図である。
【図３３】図１のTV２の表示部１１の他の表示例を示す図である。
【図３４】図１のTV２の表示部１１の他の表示例を示す図である。
【図３５】図１のTV２の表示部１１の他の表示例を示す図である。
【図３６】図１のTV２の表示部１１の他の表示例を示す図である。
【図３７】図１のTV２の表示部１１の他の表示例を示す図である。
【符号の説明】
【０１４７】
１  画像処理装置，  ２  TV，  １１  表示部，  １２  スピーカ，  ２１  主画面，  ２２  従画面，  ２０３  特徴量抽出部，  ２０４  制御部，  ２０５  音声出力制御部，  ２０６  表示制御部，  ２０７  記録制御部，  ５００  ゲーム機
【図１】
0004765452.tif 000002
【図２】
0004765452.tif 000003
【図３】
0004765452.tif 000004
【図４】
0004765452.tif 000005
【図５】
0004765452.tif 000006
【図６】
0004765452.tif 000007
【図７】
0004765452.tif 000008
【図８】
0004765452.tif 000009
【図９】
0004765452.tif 000010
【図１０】
0004765452.tif 000011
【図１１】
0004765452.tif 000012
【図１２】
0004765452.tif 000013
【図１３】
0004765452.tif 000014
【図１４】
0004765452.tif 000015
【図１５】
0004765452.tif 000016
【図１６】
0004765452.tif 000017
【図１７】
0004765452.tif 000018
【図１８】
0004765452.tif 000019
【図１９】
0004765452.tif 000020
【図２０】
0004765452.tif 000021
【図２１】
0004765452.tif 000022
【図２２】
0004765452.tif 000023
【図２３】
0004765452.tif 000024
【図２４】
0004765452.tif 000025
【図２５】
0004765452.tif 000026
【図２６】
0004765452.tif 000027
【図２７】
0004765452.tif 000028
【図２８】
0004765452.tif 000029
【図２９】
0004765452.tif 000030
【図３０】
0004765452.tif 000031
【図３１】
0004765452.tif 000032
【図３２】
0004765452.tif 000033
【図３３】
0004765452.tif 000034
【図３４】
0004765452.tif 000035
【図３５】
0004765452.tif 000036
【図３６】
0004765452.tif 000037
【図３７】
0004765452.tif 000038